(57)【要約】【課題】印刷データの各ページ情報を集約した情報ページを印刷するようにして、原稿の再現性を損なうことなく、原稿の各ページと印刷された画像の各ページとの対応関係を容易に、かつ、確実に把握することができるようにする。【解決手段】印刷データを受信するデータ受信部と、該データ受信部が受信した印刷データを印刷する印刷部３７とを有し、該印刷部３７は、前記印刷データの各ページ情報を集約した情報ページを更に印刷する。【選択図】図１
2012005006.tif 000002
【特許請求の範囲】
【請求項１】
印刷データを受信するデータ受信部と、
該データ受信部が受信した印刷データを印刷する印刷部とを有し、
該印刷部は、前記印刷データの各ページ情報を集約した情報ページを更に印刷することを特徴とする印刷装置。
【請求項２】
原稿の画像を読み取る読取部を更に有し、
前記データ受信部は、前記読取部から前記原稿の画像データを印刷データとして受信する請求項１に記載の印刷装置。
【請求項３】
上位装置と通信を行う通信部を更に有し、
前記データ受信部は、前記上位装置から前記通信部を介して印刷データを受信する請求項１に記載の印刷装置。
【請求項４】
前記ページ情報は、前記印刷データの各ページを縮小したインデックス画像を含む請求項１に記載の印刷装置。
【請求項５】
前記インデックス画像は、指定されたレイアウトに応じて配置される請求項４に記載の印刷装置。
【発明の詳細な説明】
【技術分野】
【０００１】
本発明は、印刷データを印刷出力する印刷装置に関するものである。
【背景技術】
【０００２】
従来、印刷装置は、原稿をコピーして印刷する、いわゆるコピー印刷を行う際には、複数ページの原稿の各ページと媒体に印刷された画像の各ページとの対応を明確にするために、画像が印刷された媒体の各々に対して、ページ番号を付加的に印刷するようになっている（例えば、特許文献１参照。）。
【先行技術文献】
【特許文献】
【０００３】
【特許文献１】特開２００９−１５７２３８号公報
【発明の概要】
【発明が解決しようとする課題】
【０００４】
しかしながら、前記従来の印刷装置によるコピー印刷では、原稿の各ページと印刷された画像の各ページとの対応は明確になるものの、原稿にはないページ番号が付加されるので、厳密な意味では、原稿のコピーとは異なるものが印刷される結果になってしまう。つまり、原稿の再現性が損なわれてしまう。
【０００５】
本発明は、前記従来の印刷装置の問題点を解決して、印刷データの各ページ情報を集約した情報ページを印刷するようにして、原稿の再現性を損なうことなく、原稿の各ページと印刷された画像の各ページとの対応関係を容易に、かつ、確実に把握することができる印刷装置を提供することを目的とする。
【課題を解決するための手段】
【０００６】
そのために、本発明の印刷装置においては、印刷データを受信するデータ受信部と、該データ受信部が受信した印刷データを印刷する印刷部とを有し、該印刷部は、前記印刷データの各ページ情報を集約した情報ページを更に印刷する。
【発明の効果】
【０００７】
本発明によれば、印刷装置においては、印刷データの各ページ情報を集約した情報ページを印刷する。これにより、原稿の再現性を損なうことなく、原稿の各ページと印刷された画像の各ページとの対応関係を容易に、かつ、確実に把握することができる。
【図面の簡単な説明】
【０００８】
【図１】本発明の第１の実施の形態における複合機の斜視図である。
【図２】本発明の第１の実施の形態における操作パネルを示す図である。
【図３】本発明の第１の実施の形態における複合機の制御ブロック図である。
【図４】本発明の第１の実施の形態における複合機の動作を示すフローチャートである。
【図５】比較例として従来のコピー印刷の出力結果の例を示す図である。
【図６】本発明の第１の実施の形態におけるコピー印刷の出力結果の例を示す図である。
【図７】本発明の第１の実施の形態における索引ページにおけるインデックス画像のレイアウトの例を示す図である。
【図８】本発明の第１の実施の形態における原稿の枚数が多い場合のコピー印刷の出力結果の例を示す図である。
【図９】本発明の第２の実施の形態における複合機の制御ブロック図である。
【図１０】本発明の第２の実施の形態における複合機の動作を示すフローチャートである。
【図１１】本発明の第２の実施の形態におけるコピー印刷の出力結果の例を示す図である。
【発明を実施するための形態】
【０００９】
以下、本発明の実施の形態について図面を参照しながら詳細に説明する。
【００１０】
図１は本発明の第１の実施の形態における複合機の斜視図、図２は本発明の第１の実施の形態における操作パネルを示す図、図３は本発明の第１の実施の形態における複合機の制御ブロック図である。
【００１１】
図において、１０は本実施の形態における印刷装置としての複合機であり、例えば、プリンタ、ファクシミリ機、複写機、スキャナ等の各種の機能を併せ持つＭＦＰ（Ｍｕｌｔｉ  Ｆｕｎｃｔｉｏｎ  Ｐｒｏｄｕｃｔ、Ｍｕｌｔｉ  Ｆｕｎｃｔｉｏｎ  Ｐｒｉｎｔｅｒ、Ｍｕｌｔｉ  Ｆｕｎｃｔｉｏｎ  Ｐｅｒｉｐｈｅｒａｌ等の略称）と呼ばれる装置であるが、印刷装置、すなわち、プリンタとして機能する装置であれば、いかなる種類のものであってもよい。
【００１２】
ここでは、前記複合機１０が、電子写真方式によって画像を形成する電子写真式プリンタとして機能するものとして説明する。なお、前記複合機１０は、モノクロ画像を形成するものであってもよく、カラー画像を形成するものであってもよい。また、前記複合機１０は、ＵＳＢ（Ｕｎｉｖｅｒｓａｌ  Ｓｅｒｉａｌ  Ｂｕｓ）ケーブル、セントロニクスインターフェイスケーブル等の双方向インターフェイスケーブルや、イントラネット、ＬＡＮ（Ｌｏｃａｌ  Ａｒｅａ  Ｎｅｔｗｏｒｋ）、電話回線網等の図示されない通信ネットワークに接続されているものとする。
【００１３】
図１に示されるように、複合機１０は、載置された原稿の画像を読み取る読取部３３と、該読取部３３の上部に配設された原稿台１４と、該原稿台１４の上に配設された原稿を覆う開閉自在の原稿カバー１３と、該原稿カバー１３の上部に配設され、原稿トレイ１２にセットされた原稿を１枚ずつ自動的に読取部３３に送り込む装置、すなわち、ＡＤＦ（Ａｕｔｏｍａｔｉｃ  Ｄｏｃｕｍｅｎｔ  Ｆｅｅｄｅｒ）１１と、ユーザが操作を行う操作部３２と、該操作部３２が備える操作パネル２０と、用紙カセッ１６にセットされた媒体としての用紙を１枚ずつ給紙して印刷を行う印刷機構としての印刷部３７とを有する。
【００１４】
そして、ＡＤＦ１１によって読取部３３に送り込まれて画像が読み取られた原稿は、原稿カバー１３の上に排出される。また、印刷部３７によって印刷された用紙は、印刷部３７の上部に配設されたトップカバー１５の上に排出される。
【００１５】
図２に示されるように、前記操作パネル２０は、ユーザが入力した値、指示内容、複合機１０からユーザへのメッセージ等を表示する表示部２１と、ユーザがコピー部数、インデックス表示の配列等を指定する際に必要な数字を入力するための数字ボタン２２と、ユーザが前記数字ボタン２２に代わって数値の増減を指定したり、コピー濃度等のパラメータを指定したりするための矢印ボタン２３と、ユーザがコピーの開始を複合機１０に指令するためのスタートボタン２４と、ユーザが複合機１０の実行中の動作を中断させるためのストップボタン２５とを有する。
【００１６】
なお、前記複合機１０からのメッセージは、制御部３１が表示部２１に対して指令することによって表示されるものであり、例えば、エラーメッセージ、ユーザに入力又は指定を促すメッセージ等である。
【００１７】
図３に示されるように、前記複合機１０は、機能の観点から、制御部３１と、操作部３２と、読取部３３と、データ受信部３４と、記憶部３６と、印刷部３７とを有する。前記制御部３１は、ＣＰＵ、ＲＡＭ等から構成され、複合機１０の各機能を実行するモジュールを統合的に制御する。また、前記操作部３２は、ユーザが複合機１０に必要な情報や指令を入力又は送信したり、複合機１０からユーザに対しての情報を表示したりする。さらに、前記読取部３３は、原稿台１４又は原稿トレイ１２にセットされた原稿の画像を読み取る。さらに、前記データ受信部３４は、複合機１０に通信ネットワークを介して接続されたパーソナルコンピュータ等の上位装置から複合機１０に対して送信された印刷データや、読取部３３が読み取った印刷データとしての原稿の画像データを受信し、印刷部３７に送信する。さらに、前記記憶部３６は、例えば、ＲＡＭ等の記憶手段から成り、読取部３３が読み取った原稿の画像を画像データに変換して一時的に記憶する。さらに、前記印刷部３７は、前記用紙カセット１６にセットされた用紙に画像を形成して出力する。
【００１８】
なお、前記複合機１０は、図示されない通信部を有する。そして、前記データ受信部３４は、前記通信部を介して上位装置からの印刷データを受信する。
【００１９】
次に、前記構成の複合機１０の動作について説明する。ここでは、原稿トレイ１２にセットされた複数ページの原稿をコピーして印刷する、いわゆるコピー印刷を行う場合の動作について説明する。
【００２０】
図４は本発明の第１の実施の形態における複合機の動作を示すフローチャートである。
【００２１】
まず、複合機１０の原稿トレイ１２に原稿がセットされ、操作部３２のスタートボタン２４が押下されたことを検知すると、制御部３１は、内部に備えられた図示されない読取カウンタをクリアする、すなわち、読取カウンタの値を０にする。
【００２２】
そして、ＡＤＦ１１は、原稿トレイ１２にセットされた原稿を１枚送り込み、すなわち、給紙し、読取部３３は、送り込まれた原稿、すなわち、給紙された原稿の画像を読み取る。すると、制御部３１は、読取カウンタを＋１する、すなわち、読取カウンタの値を１だけインクリメントする。
【００２３】
続いて、印刷部３７は、読取部３３が読み取った印刷データとしての原稿の画像データを、データ受信部３４を介して取得し、用紙に印刷する。同時に、データ受信部３４は、原稿の画像データを記憶部３６に格納して保存する。
【００２４】
次に、制御部３１は、原稿トレイ１２に原稿があるか否か、すなわち、ＡＤＦ１１に原稿が残っているか否かを判断する。そして、原稿が残っている場合、再び、ＡＤＦ１１は、原稿トレイ１２にセットされた原稿を１枚給紙し、読取部３３は給紙された原稿の画像を読み取り、以降の動作が繰り返し行われる。
【００２５】
また、ＡＤＦ１１に原稿が残っていない場合、制御部３１は、読取カウンタの値を参照してインデックス画像の縮小率を算出する。すなわち、読取カウンタ値からすべての原稿の画像データを１ページ内に配置するための縮小率を算出する。なお、本実施の形態においては、すべてのインデックス画像を１ページに印刷するので、ｎ枚の原稿を読み取った場合の縮小率は、およそ１／ｎである。
【００２６】
続いて、制御部３１は、索引ページ用の新規ページを生成、すなわち、索引ページ用の新規ページ分のメモリ領域を確保する。
【００２７】
続いて、制御部３１は、記憶部３６に保存した順番で原稿の画像データを読み出し、算出した縮小率で縮小する。すなわち、記憶部３６に格納されている画像データを１枚分読み出し、算出した縮小率で各画像データを縮小してインデックス画像とする。
【００２８】
続いて、制御部３１は、新規ページに縮小画像を順に配置する。すなわち、別途ユーザが指定したレイアウトに従って、前記インデックス画像を配置する。
【００２９】
続いて、制御部３１は、読取カウンタを−１する、すなわち、読取カウンタの値を１だけデクリメントする。
【００３０】
続いて、制御部３１は、読取カウンタが０であるか否かを判断する。そして、読取カウンタが０でない場合、再び、制御部３１は、記憶部３６に格納されている画像データを１枚分読み出し、算出した縮小率で各画像データを縮小してインデックス画像とし、以降の動作が繰り返し行われる。
【００３１】
また、読取カウンタが０である場合、当該ジョブで読み取った原稿の画像データはすべてインデックス画像の作成が終了したと考えられるので、印刷部３７は索引ページ、すなわち、新規ページ分のメモリ領域に作成された索引ページを印刷する。
【００３２】
そして、印刷が終了すると、制御部３１は、記憶部３６に保存した原稿の画像データを削除して、処理を終了する。
【００３３】
次に、フローチャートについて説明する。
ステップＳ１  制御部３１は読取カウンタをクリアする。
ステップＳ２  ＡＤＦ１１は原稿トレイ１２にセットされた原稿を１枚給紙し、読取部３３は、給紙された原稿の画像を読み取る。
ステップＳ３  制御部３１は読取カウンタを＋１する。
ステップＳ４  印刷部３７は読取部３３が読み取った原稿の画像データを用紙に印刷する。
ステップＳ５  データ受信部３４は原稿の画像データを記憶部３６に保存する。
ステップＳ６  制御部３１は原稿トレイ１２に原稿があるか否かを判断する。原稿トレイ１２に原稿がある場合はステップＳ２に戻り、原稿トレイ１２に原稿がない場合はステップＳ７に進む。
ステップＳ７  制御部３１は読取カウンタ値からすべての原稿の画像データを１ページ内に配置するための縮小率を算出する。
ステップＳ８  制御部３１は索引ページ用の新規ページを生成する。
ステップＳ９  制御部３１は記憶部３６に保存した順番で原稿の画像データを読み出し、算出した縮小率で縮小する。
ステップＳ１０  制御部３１は新規ページに縮小画像を順に配置する。
ステップＳ１１  制御部３１は読取カウンタを−１する。
ステップＳ１２  制御部３１は読取カウンタが０であるか否かを判断する。読取カウンタが０である場合はステップＳ１３に進み、読取カウンタが０でない場合はステップＳ９に戻る。
ステップＳ１３  印刷部３７は索引ページを印刷する。
ステップＳ１４  制御部３１は、記憶部３６に保存した原稿の画像データを削除する。
【００３４】
次に、前記複合機１０によるコピー印刷の出力結果について説明する。
【００３５】
図５は比較例として従来のコピー印刷の出力結果の例を示す図、図６は本発明の第１の実施の形態におけるコピー印刷の出力結果の例を示す図である。なお、図５において、（ａ）は原稿、（ｂ）は出力結果、（ｃ）は他の出力結果であり、図６おいて、（ａ）は原稿、（ｂ）は出力結果及び索引ページ、（ｃ）は他の索引ページを示している。
【００３６】
「背景技術」の項において説明したような従来の印刷装置でコピー印刷を行うと、出力結果は、図５に示されるようになる。ここで、図５（ａ）に示されるように、８枚の原稿４１〜４８には、それぞれ、「Ａ」〜「Ｈ」の文字が大書されているものとする。
【００３７】
そして、従来の印刷装置で前記原稿４１〜４８のコピー印刷を行うと、図５（ｂ）に示されるように、出力結果としての８枚の出力用紙４１ａ〜４８ａのそれぞれには、原稿４１〜４８と同じく大書された「Ａ」〜「Ｈ」の文字が複写されるとともに、ページ番号として、ヒゲ線付きのノンブル１〜８が下部に添加される。
【００３８】
このように、ノンブル１〜８を付加することによって、出力用紙４１ａ〜４８ａから原稿４１〜４８の順番を判別することはできる。しかし、ノンブル１〜８は、コピー印刷処理の過程で印刷装置が添加したものであって、原稿４１〜４８には含まれないものであるから、原稿４１〜４８の再現性が損なわれてしまう。また、ノンブル１〜８自体が、邪魔な情報となってしまうこともある。
【００３９】
なお、従来の印刷装置では、図５（ｃ）に示されるように、縮小コピーによって、各４ページ分の原稿４１〜４４及び４５〜４８の画像を各１ページの出力用紙７１ａ及び７１ｂに割り付けて出力することもできる。この場合、出力用紙７１ａ及び７１ｂに付加されたノンブル１及び２から原稿４１〜４４のグループと原稿４５〜４８のグループとの前後関係は分かりやすいが、各グループ内での順番が分かりにくくなってしまう。
【００４０】
これに対して、本実施の形態における印刷装置としての複合機１０でコピー印刷を行うと、出力結果は、図６に示されるようになる。ここでは、図６（ａ）に示されるように、４枚の原稿４１〜４４に、それぞれ、「Ａ」〜「Ｄ」の文字が大書されているものとする。
【００４１】
そして、複合機１０で前記原稿４１〜４４のコピー印刷を行うと、図６（ｂ）に示されるように、４枚の出力用紙４１ｂ〜４４ｂ、及び、印刷データの各ページ情報を集約した情報ページとしての索引ページ７３ａを、出力結果として得ることができる。４枚の出力用紙４１ｂ〜４４ｂには、原稿４１〜４４と同じく大書された「Ａ」〜「Ｄ」の文字が各々複写されているが、ヒゲ線付きのノンブル１〜４は添加されていない。そして、索引ページ７３ａには、コピーした原稿４１〜４４の「Ａ」〜「Ｄ」の画像を縮小コピーした画像、すなわち、インデックス画像が、各インデックス画像の近傍に付与されたこれを読み取った順番、すなわち、ページ情報とともに、１ページに収まるようにレイアウトされて表記される。
【００４２】
したがって、ユーザは、索引ページ７３ａによって、原稿４１〜４４の順序を一目で把握することができるだけでなく、原稿４１〜４４の束の全体を俯瞰（ふかん）することができるので、ファイリング、推敲（こう）、校正等の作業に有益である。また、コピー印刷によって得られた出力用紙４１ｂ〜４４ｂにはノンブルが添加されないので、原稿４１〜４４の再現性が損なわれることがない。
【００４３】
なお、図６（ｃ）に示されるように、インデックス画像のレイアウトを変更した索引ページ７３ｂを出力することもできる。インデックス画像のレイアウトは、ユーザがスタートボタン２４を押下してコピーを実行する前に、操作パネル２０を操作して指定することができる。
【００４４】
次に、索引ページにおけるインデックス画像のレイアウトの例について説明する。
【００４５】
図７は本発明の第１の実施の形態における索引ページにおけるインデックス画像のレイアウトの例を示す図である。なお、図において、（ａ）はＮｕｐ形式のレイアウトの例、（ｂ）は目次形式のレイアウトの例である。
【００４６】
図７（ａ）に示されるように、索引ページ７３ａ及び７３ｃは、インデックス画像がＮｕｐ形式のレイアウトで配列された例であり、原稿の枚数が４枚及び１６枚の場合に、それぞれ、対応する。
【００４７】
また、図７（ｂ）に示されるように、索引ページ７３ｂ及び７３ｄは、インデックス画像が目次形式のレイアウトで配列された例であり、原稿の枚数が４枚及び１６枚の場合に、それぞれ、対応する。
【００４８】
次に、原稿の枚数が多い場合のコピー印刷の出力結果について説明する。ここでは、原稿の枚数が１６枚であるものとする。
【００４９】
図８は本発明の第１の実施の形態における原稿の枚数が多い場合のコピー印刷の出力結果の例を示す図である。なお、図において、（ａ）は原稿、（ｂ）は出力結果及び索引ページ、（ｃ）は他の索引ページを示している。
【００５０】
ここでは、図８（ａ）に示されるように、１６枚の原稿４１〜５６に、それぞれ、「Ａ」〜「Ｐ」の文字が大書されているものとする。
【００５１】
そして、複合機１０で前記原稿４１〜５６のコピー印刷を行うと、図８（ｂ）に示されるように、１６枚の出力用紙４１ｂ〜５６ｂ、及び、索引ページ７３ｃを、出力結果として得ることができる。１６枚の出力用紙４１ｂ〜５６ｂには、原稿４１〜５６と同じく大書された「Ａ」〜「Ｐ」の文字が各々複写されている。また、索引ページ７３ｃには、コピーした原稿４１〜５６の「Ａ」〜「Ｐ」の画像を縮小コピーした画像であるインデックス画像が、各インデックス画像の近傍に付与されたこれを読み取った順番とともに、１ページに収まるようにＮｕｐ形式にレイアウトされて表記される。
【００５２】
なお、図８（ｃ）に示されるように、インデックス画像のレイアウトを目次形式に変更した索引ページ７３ｄを出力することもできる。
【００５３】
このように、本実施の形態においては、コピー印刷を行う場合、原稿の画像をコピーした出力用紙とともに、原稿を読み取った順番をインデックス画像とともに集約した索引ページを印刷する。これにより、コピーによって得られた出力用紙が原稿の再現性を損なうことがなく、かつ、ユーザは、原稿の順序を一目で把握することができるとともに、原稿の全体も俯瞰することができる。
【００５４】
次に、本発明の第２の実施の形態について説明する。なお、第１の実施の形態と同じ構造を有するものについては、同じ符号を付与することによって、その説明を省略する。また、前記第１の実施の形態と同じ動作及び同じ効果についても、その説明を省略する。
【００５５】
図９は本発明の第２の実施の形態における複合機の制御ブロック図である。
【００５６】
図に示されるように、本実施の形態における複合機１０は、機能の観点から、制御部３１と、操作部３２と、読取部３３と、データ受信部３４と、印刷部３７とを有するが、記憶部３６を有していない。前記制御部３１は、ＣＰＵ、ＲＡＭ等から構成され、複合機１０の各機能を実行するモジュールを統合的に制御する。また、前記操作部３２は、ユーザが複合機１０に必要な情報や指令を入力又は送信したり、複合機１０からユーザに対しての情報を表示したりする。さらに、前記読取部３３は、原稿台１４又は原稿トレイ１２にセットされた原稿の画像を読み取る。さらに、前記データ受信部３４は、複合機１０に通信ネットワークを介して接続されたパーソナルコンピュータ等の上位装置から複合機１０に対して送信された印刷データや、読取部３３が読み取った印刷データとしての原稿の画像データを受信し、印刷部３７に送信する。そして、前記印刷部３７は、前記用紙カセット１６にセットされた用紙に画像を形成して出力する。また、前記制御部３１は、原稿の画像データを受信すると、その都度、所定の縮小率で縮小し、索引ページに配置する。
【００５７】
なお、複合機１０のその他の点の構成については、前記第１の実施の形態と同様であるので、その説明を省略する。
【００５８】
次に、本実施の形態における複合機１０の動作について説明する。前記第１の実施の形態と同様に、原稿トレイ１２にセットされた複数ページの原稿をコピーして印刷する、いわゆるコピー印刷を行う場合の動作について説明する。
【００５９】
図１０は本発明の第２の実施の形態における複合機の動作を示すフローチャートである。
【００６０】
まず、複合機１０の原稿トレイ１２に原稿がセットされ、操作部３２のスタートボタン２４が押下されたことを検知すると、制御部３１は、内部に備えられた図示されない読取カウンタをクリアする、すなわち、読取カウンタの値を０にする。
【００６１】
続いて、制御部３１は、索引ページ用の新規ページを生成、すなわち、索引ページ用の新規ページ分の制御部３１内にあるメモリ領域を確保する。
【００６２】
そして、ＡＤＦ１１は、原稿トレイ１２にセットされた原稿を１枚送り込み、すなわち、給紙し、読取部３３は、送り込まれた原稿、すなわち、給紙された原稿の画像を読み取る。すると、制御部３１は、読取カウンタを＋１する、すなわち、読取カウンタの値を１だけインクリメントする。
【００６３】
続いて、印刷部３７は、読取部３３が読み取った印刷データとしての原稿の画像データを、データ受信部３４を介して取得し、用紙に印刷する。そして、制御部３１は、原稿の画像データを所定の縮小率で縮小する。すなわち、受信した画像データをあらかじめ設定された所定の縮小率で縮小してインデックス画像とする。そして、制御部３１は、新規ページに縮小画像を順に配置する。すなわち、インデックス画像を、新規ページ分のメモリ領域に作成された索引ページに配置する。
【００６４】
続いて、制御部３１は、読取カウンタが所定値未満であり、かつ、原稿トレイ１２に原稿があるか否かを判断する。すなわち、読取カウンタの値があらかじめ設定された所定値未満であり、かつ、原稿トレイ１２に原稿が残っているか否かを判断する。そして、読取カウンタの値が所定値未満であり、かつ、原稿トレイ１２に原稿が残っている場合、再び、ＡＤＦ１１は、原稿トレイ１２にセットされた原稿を１枚給紙し、読取部３３は給紙された原稿の画像を読み取り、以降の動作が繰り返し行われる。
【００６５】
また、読取カウンタの値が所定値に達している場合、印刷部３７は索引ページ、すなわち、新規ページ分のメモリ領域に作成された索引ページを印刷する。
【００６６】
続いて、制御部３１は、原稿トレイ１２に原稿があるか否かを判断する。すなわち、原稿トレイ１２に原稿が残っているか否かを判断する。そして、原稿トレイ１２に原稿が残っている場合、再び、制御部３１は読取カウンタの値を０にし、以降の動作が繰り返し行われる。また、原稿トレイ１２に原稿が残っていない場合には、処理を終了する。
【００６７】
次に、フローチャートについて説明する。
ステップＳ２１  制御部３１は読取カウンタをクリアする。
ステップＳ２２  制御部３１は索引ページ用の新規ページを生成する。
ステップＳ２３  ＡＤＦ１１は原稿トレイ１２にセットされた原稿を１枚給紙し、読取部３３は、給紙された原稿の画像を読み取る。
ステップＳ２４  制御部３１は読取カウンタを＋１する。
ステップＳ２５  印刷部３７は読取部３３が読み取った原稿の画像データを用紙に印刷する。
ステップＳ２６  制御部３１は原稿の画像データを所定の縮小率で縮小する。
ステップＳ２７  制御部３１は新規ページに縮小画像を順に配置する。
ステップＳ２８  制御部３１は読取カウンタが所定値未満であり、かつ、原稿トレイ１２に原稿があるか否かを判断する。読取カウンタの値が所定値未満であり、かつ、原稿トレイ１２に原稿が残っている場合はステップＳ２３に戻り、読取カウンタの値が所定値に達している場合はステップＳ２９に進む。
ステップＳ２９  印刷部３７は索引ページを印刷する。
ステップＳ３０  制御部３１は原稿トレイ１２に原稿があるか否かを判断する。原稿トレイ１２に原稿がある場合はステップＳ２１に戻り、原稿トレイ１２に原稿がない場合は処理を終了する。
【００６８】
次に、本実施の形態におけるコピー印刷の出力結果について説明する。
【００６９】
図１１は本発明の第２の実施の形態におけるコピー印刷の出力結果の例を示す図である。なお、図において、（ａ）は原稿、（ｂ）は出力結果及び索引ページ、（ｃ）は他の索引ページを示している。
【００７０】
本実施の形態においては、ユーザがスタートボタン２４を押下してコピーを実行する前に、操作パネル２０から指定する索引ページにおけるインデックス画像のレイアウト（前記第１の実施の形態における図７に示されるようなレイアウト）に応じて、インデックス画像の縮小率があらかじめ設定されている。
【００７１】
例えば、索引ページにおけるインデックス画像のレイアウトがＮｕｐ形式であり、インデックス画像の縮小率が１／１６であり、かつ、原稿の枚数が２４枚である場合、すなわち、図１１（ａ）に示されるような原稿４１〜６４である場合、図１１（ｂ）に示されるような２枚の索引ページ７４ａが出力される。該索引ページ７４ａはインデックス画像が印刷されたものであって、１枚目７４ａ１には１６枚のインデックス画像が配置され、２枚目７４ａ２には８枚のインデックス画像が配置されている。
【００７２】
なお、図１１（ｃ）に示されるように、インデックス画像のレイアウトを目次形式に変更した索引ページ７４ｂを出力することもできる。該索引ページ７４ｂもインデックス画像が印刷されたものであって、１枚目７４ｂ１には１６枚のインデックス画像が配置され、２枚目７４ｂ２には８枚のインデックス画像が配置されている。
【００７３】
このように、本実施の形態においては、読取部３３が読み取った原稿の画像データを保存しておくための記憶部３６が必要ないので、複合機１０をより小型に、かつ、安価にすることができる。
【００７４】
なお、２枚の索引ページ７４ａ１、７４ａ２は、１枚目７４ａ１を表面、２枚目７４ａ２を裏面として１枚の両面印刷ページとして印刷されるとしてもよい。この場合、図１０のステップＳ２８の処理において、「読取カウンタの値が所定値未満であり、」を「読取カウンタの値が所定値×２未満であり」と読み替える。２枚の索引ページ７４ｂ１、７４ｂ２についても同様である。これにより、用紙の出力数を少なくすることができ、索引ページの散逸を防止することができる。
【００７５】
なお、前記第１及び第２の実施の形態においては、印刷装置が複合機１０である例についてのみ説明したが、本発明は、プリンタ、ファクシミリ機、複写機等、１部が複数ページから成る文書の画像形成を行う装置に適用することができる。
【００７６】
また、本発明は、前記実施の形態に限定されるものではなく、本発明の趣旨に基づいて種々変形させることが可能であり、それらを本発明の範囲から排除するものではない。
【産業上の利用可能性】
【００７７】
本発明は、印刷装置に利用することができる。
【符号の説明】
【００７８】
１０    複合機
３３    読取部
３４    データ受信部
３７    印刷部
７３ａ、７３ｂ、７３ｃ、７３ｄ、７４ａ、７４ｂ    索引ページ
【図１】
2012005006.tif 000003
【図２】
2012005006.tif 000004
【図３】
2012005006.tif 000005
【図４】
2012005006.tif 000006
【図５】
2012005006.tif 000007
【図６】
2012005006.tif 000008
【図７】
2012005006.tif 000009
【図８】
2012005006.tif 000010
【図９】
2012005006.tif 000011
【図１０】
2012005006.tif 000012
【図１１】
2012005006.tif 000013